(57)【特許請求の範囲】
【請求項１】
音声を通信ライン（３０）に出力するマイク（１１）と、
前記通信ライン（３０）から入力された音声を出力する音響出力部（１２）と、
ユーザーの脈波、皮膚電流、皮膚温度のうち少なくともいずれか一つ以上をセンシングすることができるセンシング部（１３）と、
を備えたヘッドセット（１０）と、
前記ヘッドセット（１０）のマイク（１１）から出力される音声から音声ストレス指数を算出する音声ストレス算出部（２２）と、
前記センシング部（１３）によりセンシングされた信号に基づいてセンシング値を算出するセンシング値算出部（２６）と、
ホワイトノイズ音響を発生させて前記ヘッドセット（１０）の音響出力部（１２）に出力するホワイトノイズ発生部（２３）と、
前記音声ストレス指数および前記センシング値から算出されるユーザーのストレス指数に基づいてストレスを正常化するのに適したホワイトノイズデータが保存され、前記ユーザーのストレス指数に基づいて前記ホワイトノイズ発生部（２３）で発生したホワイトノイズ音響出力の強さが保存され、ユーザーの脈波、皮膚電流、皮膚温度のうち少なくともいずれか一つ以上の生理信号の変化に基づいたホワイトノイズ音響出力の強さが保存されたメモリ部（２４）と、
前記ユーザーのストレス指数を算出し、前記ユーザーのストレス指数に基づいて前記ホワイトノイズ発生部（２３）において前記ストレスが正常範囲になるようにホワイトノイズ音響を出力するように制御する制御部（２７）と、
前記制御部（２７）によるホワイトノイズ音響出力を自動または手動で制御することをユーザーが選択するための自動／手動調整部（２５）と、
を含んでなるホワイトノイズ発生装置（２０）と、を備え、
前記制御部（２７）は、
前記ユーザーのストレス指数が非正常である場合、前記ユーザーのストレス指数が正常化されるように、前記ホワイトノイズ発生部（２３）からホワイトノイズを発生させて前記ヘッドセット（１０）の音響出力部（１２）へ出力し、その後、さらに、ユーザーのストレス指数が非正常であれば、自動制御が設定されているか否かを判断し、自動制御に設定されていると判断した場合、ユーザーのストレス指数が設定値以下になるようにホワイトノイズ音響を再度制御して出力し、自動制御に設定されていないと判断した場合、手動制御に応じてホワイトノイズ音響を出力する、
ストレス緩和及び集中力向上のためのホワイトノイズ発生ヘッドセット。
【請求項２】
前記メモリ部（２４）は、前記制御部（２７）に含まれて構成されたことを特徴とする請求項１に記載のストレス緩和及び集中力向上のためのホワイトノイズ発生ヘッドセット。
【請求項３】
前記音声ストレス算出部（２２）は、音声分析による感情の状態を表現するために音声を抽出し、抽出された音声を分析した後、これを設定された音声情報と比較して設定されたテーブルに基づいて音声ストレス指数を算出することを特徴とする請求項１または２に記載のストレス緩和及び集中力向上のためのホワイトノイズ発生ヘッドセット。
【請求項４】
音声を通信ライン（３０）に出力するマイク（１１）と、前記通信ライン（３０）から入力された音声を出力する音響出力部（１２）と、ユーザーの脈波、皮膚電流、皮膚温度のうち少なくともいずれか一つ以上をセンシングすることができるセンシング部（１３）と、を備えたヘッドセット（１０）と、
前記ヘッドセット（１０）のマイク（１１）から出力される音声から音声ストレス指数を算出する音声ストレス算出部（２２）と、前記センシング部（１３）によりセンシングされた信号に基づいてセンシング値を算出するセンシング値算出部（２６）と、ホワイトノイズ音響を発生させて前記ヘッドセット（１０）の音響出力部（１２）に出力するホワイトノイズ発生部（２３）と、前記音声ストレス指数および前記センシング値から算出されるユーザーのストレス指数に基づいてストレスを正常化するのに適したホワイトノイズデータが保存され、前記ユーザーのストレス指数に基づいて前記ホワイトノイズ発生部（２３）で発生したホワイトノイズ音響出力の強さが保存され、ユーザーの脈波、皮膚電流、皮膚温度のうち少なくともいずれか一つ以上の生理信号の変化に基づいたホワイトノイズ音響出力の強さが保存されたメモリ部（２４）と、前記ユーザーのストレス指数を算出し、前記ユーザーのストレス指数に基づいて前記ホワイトノイズ発生部（２３）において前記ストレスが正常範囲になるようにホワイトノイズ音響を出力するように制御する制御部（２７）と、前記制御部（２７）によるホワイトノイズ音響出力を自動または手動で制御することをユーザーが選択するための自動／手動調整部（２５）と、を含んでなるホワイトノイズ発生装置（２０）と、
を備えるホワイトノイズ発生ヘッドセットを用いたストレス緩和及び集中力向上のためのホワイトノイズ発生方法において、
前記ヘッドセット（１０）のマイク（１１）から出力される音声を検出し、前記ヘッドセット（１０）を着用したユーザーの脈波、皮膚電流、皮膚温度のうち少なくとも一つ以上をセンシングするステップ（Ｓ１００）と、
制御部が、前記ステップ（Ｓ１００）で検出された音声及びセンシングされたセンシング値からユーザーのストレス指数を算出するステップ（Ｓ１１０）と、
制御部が、前記ステップ（Ｓ１１０）で算出されたユーザーのストレス指数が非正常であるか否かを判断し（Ｓ１２０）、算出されたユーザーのストレス指数が非正常である場合、制御部が、前記ユーザーのストレス指数が正常化されるように、前記ホワイトノイズ発生部（２３）からホワイトノイズを発生させて前記ヘッドセット（１０）の音響出力部（１２）へ出力するステップ（Ｓ１３０）と、
制御部が、前記ステップ（Ｓ１３０）後にもユーザーのストレス指数が非正常であるか否かを判断するステップ（Ｓ１４０）と、
制御部が、前記ステップ（Ｓ１４０）でユーザーのストレス指数の正常有無を判断した結果、非正常であれば、自動制御が設定されているか否かを判断するステップ（Ｓ１５０）と、
前記ステップ（Ｓ１５０）で自動制御に設定されていると判断すると、制御部が、ユーザーのストレス指数が設定値以下になるようにホワイトノイズ音響を再度制御して音響出力部（１２）へ出力するステップ（Ｓ１６０）と、
を含むことを特徴とするストレス緩和及び集中力向上のためのホワイトノイズ発生方法。
【請求項５】
制御部が、前記ステップ（Ｓ１６０）の後にユーザーのストレス指数が正常であるか否かを再度判断するステップ（Ｓ１９０）と、
制御部が、前記ステップ（Ｓ１９０）でユーザーのストレス指数が正常になったと判断すると、現在の出力を維持するとともに、現在のユーザーのストレス指数に対応するホワイトノイズ音響出力の強さを前記メモリ部（２４）に保存するステップ（Ｓ２００）と、
をさらに含むことを特徴とする請求項４に記載のストレス緩和及び集中力向上のためのホワイトノイズ発生方法。
【発明の詳細な説明】
【技術分野】
【０００１】
本発明は、ホワイトノイズ発生ヘッドセット及びホワイトノイズ発生方法に係り、さらに詳しくは、通話や学習に利用されているヘッドセットを用いて、音声、脈波、皮膚電流及び皮膚温度を測定し、ストレス緩和及び集中力向上を可能にするホワイトノイズをヘッドセットのイヤーセット部分に出力する「ストレス緩和及び集中力向上のためのホワイトノイズ発生ヘッドセット及びそれを用いたホワイトノイズ発生方法」に関する。
【背景技術】
【０００２】
人の聴覚器官は、感覚器官のうちもっとも最初に発達する器官であり、この聴覚器官が受容する音の刺激、すなわち聴覚刺激を適切に与えると、右脳及び左脳の刺激を促進し、これは頭脳発達に大きな影響を及ぼすだけでなく、嗅覚、視覚など他の感覚をも共に発達させる役割を果たす。
【０００３】
音を用いた研究を調べてみると、自然の音には高周波音が多く含まれているので、聞いているだけで心が静まり、リラックスできることはもとより、このことから、脳ではアルファ―波（α波）が発生することが分かる。さらに、音楽は、人が社会的活動を行うにあたり、コミュニケーション能力を向上させ、認知的な機能に影響を与える要素である。
【０００４】
ほとんどの人々は、ノイズが、認知遂行能力の作業を行うにあたり、それを妨害する要素であると思っている。このようなノイズのうちホワイトノイズに関連する先行技術としては、大韓民国公開特許第１０−２０１０−０００４６０１号（発明の名称：集中力強化のためのハードディスク型語学学習機）、大韓民国登録特許第１０−０８１２７７０号（発明の名称：ホワイトノイズを用いた倍速ナレーション音声信号の提供方法および装置）及び大韓民国公開特許第１０−２０１１−００７３４０４号（発明の名称：ノイズ制御／サウンドセラピー機能の照明装置システム）などが挙げられる。
【０００５】
しかし、上記先行技術は、ホワイトノイズを発生させてノイズ成分を除去するか、またはノイズ成分を除去することにより集中力を高めるようにした技術であり、単純にホワイトノイズを発生させる技術にとどまっており、ストレスを緩和させたり、適切な緊張感を維持させたりして集中力の向上を図るものとして、ホワイトノイズを利用する技術ではない。
【先行技術文献】
【特許文献】
【０００６】
【特許文献１】大韓民国公開特許第１０−２０１０−０００４６０１号
【特許文献２】大韓民国登録特許第１０−０８１２７７０号
【特許文献３】大韓民国公開特許第１０−２０１１−００７３４０４号
【発明の概要】
【発明が解決しようとする課題】
【０００７】
本発明は、上記のような従来技術の問題点を解決するためのもので、本発明の目的は、通話や学習に利用されているヘッドセットを用いて、音声、脈波、皮膚電流及び皮膚温度などを測定した後、ストレス緩和及び集中力向上を可能にするホワイトノイズをヘッドセットのイヤーセット部分に出力することができる「ストレス緩和及び集中力向上のためのホワイトノイズ発生ヘッドセット及びそれを用いたホワイトノイズ発生方法」を提供することにある。
【課題を解決するための手段】
【０００８】
上記目的を達成するための本発明に係るストレス緩和及び集中力向上のためのホワイトノイズ発生ヘッドセットは、
音声を通信ラインに出力するマイクと、前記通信ラインから入力された音声を出力する音響出力部とを備えたヘッドセットと、前記マイクから出力される音声からストレス指数を算出し、ストレス指数が正常範囲になるようにホワイトノイズ音響を出力するホワイトノイズ発生装置と、を備え、
前記ヘッドセットは、ユーザーの脈波、皮膚電流、皮膚温度のうち少なくともいずれか一つ以上をセンシングすることができるセンシング部をさらに備え、
前記ホワイトノイズ発生装置は、前記ホワイトノイズ発生装置の動作電源供給をＯＮ／ＯＦＦ制御するためのＯＮ／ＯＦＦ部と、前記ヘッドセットのマイクから出力される音声からストレス指数を算出する音声ストレス算出部と、前記センシング部によりセンシングされた信号に基づいてストレス指数センシング値を算出するセンシング値算出部と、ホワイトノイズ音響を発生させて前記ヘッドセットの音響出力部に出力するホワイトノイズ発生部と、ストレス指数に基づいてストレスを正常化するのに適したホワイトノイズデータが保存され、ユーザーのストレス指数に基づいて前記ホワイトノイズ発生部で発生したホワイトノイズ音響出力の強さが保存され、ユーザーの脈波、皮膚電流、皮膚温度のうち少なくともいずれか一つ以上の生理信号の変化に基づいたホワイトノイズ音響出力の強さが保存されたメモリ部と、前記音声ストレス算出部及び前記センシング値算出部で算出されたストレス指数に基づいて前記ホワイトノイズ発生部において前記ストレスが正常範囲になるようにホワイトノイズ音響を出力するように制御する制御部と、前記制御部によるホワイトノイズ音響出力を自動または手動で制御することをユーザーが選択するための自動／手動調整部と、を含むことを特徴とする。
【０００９】
また、本発明に係るストレス緩和及び集中力向上のためのホワイトノイズ発生ヘッドセットは、前記メモリ部が、前記制御部に含まれて構成されたことを特徴とする。
【００１０】
また、本発明に係るストレス緩和及び集中力向上のためのホワイトノイズ発生ヘッドセットは、前記音声ストレス算出部が、音声分析による感情の状態を表現するために音声を抽出し、抽出された音声を分析した後、それを設定された音声情報（音声周波数に応じた波形、周期、振幅）と比較して設定されたテーブルに基づいて音声ストレス指数を算出することを特徴とする。
【００１１】
また、本発明に係るストレス緩和及び集中力向上のためのホワイトノイズ発生方法は、音声を通信ラインに出力するマイクと、前記通信ラインから入力された音声を出力する音響出力部と、ユーザーの脈波、皮膚電流、皮膚温度のうち少なくともいずれか一つ以上をセンシングすることができるセンシング部と、を備えたヘッドセットと、前記ヘッドセットのマイクから出力される音声からストレス指数を算出する音声ストレス算出部と、前記センシング部によりセンシングされた信号に基づいてストレス指数センシング値を算出するセンシング値算出部と、ホワイトノイズ音響を発生させて前記ヘッドセットの音響出力部に出力するホワイトノイズ発生部と、ストレス指数に基づいてストレスを正常化するのに適したホワイトノイズデータが保存され、ユーザーのストレス指数に基づいて前記ホワイトノイズ発生部で発生したホワイトノイズ音響出力の強さが保存され、ユーザーの脈波、皮膚電流、皮膚温度のうち少なくともいずれか一つ以上の生理信号の変化に基づいたホワイトノイズ音響出力の強さが保存されたメモリ部と、前記音声ストレス算出部及び前記センシング値算出部で算出されたストレス指数に基づいて前記ホワイトノイズ発生部において前記ストレスが正常範囲になるようにホワイトノイズ音響を出力するように制御する制御部と、前記制御部によるホワイトノイズ音響出力を自動または手動で制御することをユーザーが選択するための自動／手動調整部と、を含んでなるホワイトノイズ発生装置と、
を備えるホワイトノイズ発生ヘッドセットを用いたストレス緩和及び集中力向上のためのホワイトノイズ発生方法において、
前記ヘッドセットのマイクから出力される音声を検出し、前記ヘッドセットを着用したユーザーの脈波、皮膚電流、皮膚温度のうち少なくとも一つ以上をセンシングするステップと、前記ステップで検出された音声及びセンシング値からストレス指数を算出するステップと、
前記ステップで算出されたストレス指数が非正常であるか否かを判断し、算出されたストレス指数が非正常である場合、前記ストレス指数が正常化されるように、前記ホワイトノイズ発生部からホワイトノイズを発生させて前記ヘッドセットの音響出力部へ出力するステップと、
前記ステップ後にもストレス指数が非正常であるか否かを判断するステップと、
前記ステップでストレス指数の正常有無を判断した結果、非正常であれば、自動制御が設定されているか否かを判断するステップと、
前記ステップで自動制御に設定されていると判断すると、ストレス指数が設定値以下になるようにホワイトノイズ音響を再度制御して出力し、前記ステップで自動制御に設定されていないと判断すると、手動制御に応じてホワイトノイズ音響を出力するステップと、を含むことを特徴とする。
【００１２】
また、本発明に係るストレス緩和及び集中力向上のためのホワイトノイズ発生方法は、 ストレス指数が正常であるか否かを再度判断するステップと、前記ステップでストレス指数が正常になったと判断すると、現在の出力を維持するとともに、現在のストレス指数に対応するホワイトノイズ音響出力の強さを前記メモリ部に保存するステップと、をさらに含むことを特徴とする。
【発明の効果】
【００１３】
上記のような本発明によれば、以下のような効果が得られる。
【００１４】
第一に、通話者の音声と脈波、皮膚電流、皮膚温度などをセンシングしてストレス指数を算出し、これを利用して通話者の聴覚入力部分に、ストレスを緩和させたり適切な緊張感を与えるホワイトノイズ（White Noise）を発生させて出力することにより、ストレスを緩和させたり緊張感を与えて業務効率を向上させることができるという利点がある。
【００１５】
第二に、学習者の音声と脈波、皮膚電流、皮膚温度などをセンシングしてストレス指数を算出し、それを利用して学習者の聴覚入力部分に、ホワイトノイズを発生させて出力することにより、ストレスを緩和させたり適切な緊張感を与えたりして学習効率を向上させることができるという利点がある。
【００１６】
第三に、通話者や学習者の音声出力と脈波、皮膚電流、皮膚温度などをセンシングしてストレス指数を算出した後、ホワイトノイズを出力してストレスを緩和させたり適切な緊張感を与えているときに、それを自動的に制御することにより、通話や学習時にはユーザーも認知していない状態で自然にストレスが緩和されたり適切な緊張感が維持できるようになるという利点がある。
【００１７】
第四に、通話者や学習者のストレス緩和や緊張感維持レベルをデータ化して、必要に応じて個人別オーダーメードのストレス緩和及び緊張感維持を最適化することができるという利点がある。
【図面の簡単な説明】
【００１８】
【図１】図１は、本発明に係るストレス緩和及び集中力向上のためのホワイトノイズ発生ヘッドセットの概念を説明するための図である。
【図２】図２は、本発明に係るストレス緩和及び集中力向上を説明するための確率共振現象（ＳＲ：Stochastic resonance）曲線の個々の違いを説明するための図である。
【図３】図３は、本発明に係るストレス緩和及び集中力向上のためのホワイトノイズ発生ヘッドセットを説明するためのブロック構成図である。
【図４】図４は、本発明に係るストレス緩和及び集中力向上のためのホワイトノイズ発生方法を説明するための制御フローチャートである。
【発明を実施するための形態】
【００１９】
以下、本発明に係る一つの好適な実施例を添付図面を参照して詳細に説明する。さらに、本発明で使用される用語は、可能な限り、現在汎用されている一般的な用語であるが、特定の場合には、出願人が任意に選定した用語もある。このような場合は、該当する発明の詳細な説明の部分で詳細にその意味を記載しているので、単純な用語の名称ではなく、用語が持つ意味をもって本発明を把握すべきであることを明らかにする。また、実施例を説明するにあたり、本発明が属する技術分野で十分知られており、本発明と直接関係のない技術内容については説明を省略する。これは、不要な説明を省略することによって本発明の要旨を濁さずにより明らかに伝えるためのものである。
【００２０】
図１は、本発明に係るストレス緩和及び集中力向上のためのホワイトノイズ発生ヘッドセットの概念を説明するための図であり、図２は、本発明に係るストレス緩和及び集中力向上を説明するための確率共振現象（ＳＲ：Stochastic resonance）曲線の個々の違いを説明するための図である。
【００２１】
本発明に係るストレス緩和及び集中力向上のためのホワイトノイズ発生ヘッドセットは、コールセンターエージェントの場合を例として説明する。図１に示すように、コールセンターのエージェントにとっては、エージェントが電話を利用して相手との通話中に発生する日常的なストレスや相手との通話によって発生する直接的なストレスがあるので、これが最近社会的な問題となっているが、本発明では、このようなストレスが増加するとき、ヘッドセットの音響出力部（イヤーセット）にストレスを減少させることができる刺激をホワイトノイズとして提供しようとする。
【００２２】
一方、適切なホワイトノイズは、ストレス緩和や減少に加えて、適切な緊張感を維持させて業務の集中力や学習の集中力を向上させることができるが、図２では、このようなＳＲ（Stochastic resonance）曲線の個々の違いを説明している。
【００２３】
すなわち、図２では、認知テスト（ｙ軸）の性能は、適切なノイズレベル（ｘ軸）に対する最適の、低すぎるレベルや高すぎるレベルの二つのノイズレベルが減衰することを示している。参考までに、最適の成果を導出するためには、集中力が高かったり高い成果を出す子供に比べて不注意だったり低い成果を出す子供に多くのノイズが要求されることを示しているが、最終的には集中力が高かったり高い成果を出す子供、不注意だったり低い成果を出す子供の両方に適したノイズレベルが必要であることを示している。
【００２４】
図３は、本発明に係るストレス緩和及び集中力向上のためのホワイトノイズ発生ヘッドセットを説明するためのブロック構成図である。
【００２５】
本発明に係る「ストレス緩和及び集中力向上のためのホワイトノイズ発生ヘッドセット」は、図３に示すように、ヘッドセット１０とホワイトノイズ発生装置２０とを備えている。
【００２６】
ここで、ヘッドセット１０は、通話者や学習者の音声を入力されて通信ライン３０に出力するマイク１１と、通信ライン３０からの音声を通話者や学習者が聴取することができる音響出力部１２と、ヘッドセット１０のユーザーの脈波、皮膚電流、皮膚温度のうち少なくともいずれか一つ以上をセンシングすることができるセンシング部１３と、を備えている。
【００２７】
ここで、センシング部１３は、人の生体信号のうち脈波信号（ＰＰＧ：Photoplethsmography）を得るセンサーで構成することができる。ここで、脈波信号は、皮膚の血流を測定するにあたり、発光ダイオード（ＬＥＤ：Light Emitting Diode）光を皮膚内の血管に照射して脈拍振動を変化させ、そのとき、フォトダイオード（photodiode）により反射してきた光の量を測定して得られる。ＰＰＧを測定するために、通常指や耳から脈波信号を測定し、それ以外に鼻中隔、額、食道などからも測定することができる。しかし、効率的な測定部位は、耳や指である。ただし、衝撃や低体温などの場合に血流が減少する恐れがあるので、信号の測定において考慮しなければならない。
【００２８】
また、センシング部１３は、人の生体信号のうち皮膚電流（ＧＳＲ：Galvanic Skin Response）を得るセンサーで構成することもできる。フェーレ（Fere）（１８８８）は、人が刺激を受けたとき、皮膚の２点間の人体を流れる少量の電流にかかる抵抗が減少するという事実を発見した。このような変化は、交感神経と副交感神経の拮抗作用による汗腺の活動により皮膚内部組織の抵抗値に変化が生じることであり、それを測定する。ＧＳＲは微妙な違いを示すが、これは動的な活動と感情的な興奮関係に起因するもので、このため、嘘発見器装置の一つの構成要素として使用され、ここで感情的な興奮状態を測定するために使用されることもある。
【００２９】
一方、センシング部１３は、人の皮膚温度（ＳＫＴ：Skin Temperature）を測定するセンサーで構成することができる。ここで、ＳＫＴは、人の皮膚温度を測定するものであり、皮膚温度は、一般的に交感神経が活性化されたとき、血管の収縮により温度が低くなる傾向を示す。逆に、副交感神経が活性化されたとき、 血管の弛緩により温度が高くなる傾向を示す。
【００３０】
このようにセンシング部１３は、脈波、皮膚電流及び皮膚温度のうち少なくともいずれか一つ以上を測定するセンサーで構成することができ、ヘッドセット部に形成することが好ましく、さらに好ましくは、ヘッドセットの耳の部分に設置することができる。
【００３１】
また、ホワイトノイズ発生装置２０は、図３に示すように、ホワイトノイズ発生装置２０のＯＮ／ＯＦＦを制御するＯＮ／ＯＦＦ部２１と、ヘッドセット１０のマイク１１から出力される音声からストレス指数を算出する音声ストレス算出部２２と、ホワイトノイズを発生させて音響出力部１２に出力するホワイトノイズ発生部２３と、ストレス指数に基づいてストレスを正常化するに適したホワイトノイズデータが保存され、ユーザーのストレス指数に基づいて発生したホワイトノイズ音響出力の強さが保存され、脈波、皮膚電流、皮膚温度の変化（ユーザーの生理信号の変化）によるホワイトノイズ音響出力の強さが保存されるメモリ部２４と、ユーザーがホワイトノイズ発生装置２０を自動または手動で制御することを選択できるようにする自動／手動調整部２５と、ヘッドセット１０のセンシング部１３によりセンシングされた脈波、皮膚電流、皮膚温度のうちいずれか一つ以上からセンシング値を算出するセンシング値算出部２６と、ＯＮ／ＯＦＦ部２１及び自動／手動調整部２５の入力に応じた動作を行えるようにし、音声ストレス算出部２２及びセンシング値算出部２６で算出されたストレス指数と生理信号の変化に基づいて、メモリ部２４を参照してストレスが正常化されるようにホワイトノイズを発生させるホワイトノイズ発生部２３を制御する制御部２７を、含んで構成される。
【００３２】
ここで、ＯＮ／ＯＦＦ部２１と自動／手動調整部２５は、選択的に構成することができ、メモリ部２４も制御部２７に含まれて構成されることができる。
【００３３】
また、音声ストレス算出部２２は、音声分析による感情の状態を効果的に表現するために、音声を抽出し、音声を分析した後、これを設定された音声情報（例えば、音声周波数に応じた波形、周期、振幅など）と比較して算出する。ここで、音声分析は、通常の音声分析器を用いることができ、これをテーブル化したストレス指数と比較して算出できるようにすることができる。
【００３４】
一方、ストレス正常化とは、ストレス緩和や減少に加えて、適切な緊張感を維持して業務の集中力や学習の集中力を向上できるようにすることを含む。
【００３５】
図４は、本発明に係るストレス緩和及び集中力向上のためのホワイトノイズ発生方法を説明するためのフローチャートである。
【００３６】
本発明に係るストレス緩和及び集中力向上のためのホワイトノイズ発生方法は、図４に示すように、ヘッドセット１０のマイク１１から音声が検出され、センシング部１３から脈波、皮膚電流、皮膚温度のうち少なくともいずれか一つ以上がセンシングされると（Ｓ１００）、ストレス指数と生理信号の変化からストレス指数を算出する（Ｓ１１０）。
【００３７】
すると、制御部２７は、ストレス指数が、図１に示すようなしきい値超過または未満になる非正常であるか否かを判断する（Ｓ１２０）。
【００３８】
Ｓ１２０ステップで判断した結果、ストレス指数が非正常であると、制御部２７は、算出されたストレス指数に基づいて、メモリ部２４を参照してホワイトノイズ発生部２３で適切なホワイトノイズが発生できるように制御する（Ｓ１３０）。
【００３９】
その次、制御部２７は、ストレス指数が非正常または正常になったかを判断する（Ｓ１４０）。
Ｓ１４０ステップで判断した結果、ストレス指数がまだ非正常であれば、自動制御が設定されているか否かを判断する（Ｓ１５０）。
【００４０】
Ｓ１５０ステップで判断した結果、自動制御が設定されていれば、ストレス指数が設定値以下になるようにホワイトノイズ音響を再度制御して出力する（Ｓ１６０）。
【００４１】
しかし、Ｓ１５０ステップで判断した結果、自動制御が設定されていなければ、手動制御が入力されるか否かを判断する（Ｓ１７０）。
【００４２】
Ｓ１７０ステップで判断した結果、手動制御が入力されると、手動制御に応じてホワイトノイズ音響を出力する（Ｓ１８０）。
【００４３】
一方、制御部２７は、継続してストレス指数が正常であるか否かを判断する（Ｓ１９０）。
【００４４】
Ｓ１９０ステップで判断した結果、ストレス指数が正常になったら、現在の出力を維持するとともに、現在のストレス指数に対応するホワイトノイズ音響出力の強さをメモリ部２４に保存する（Ｓ２００）。さらに、このように保存されたデータは、後でストレス指数によるホワイトノイズ音響出力の強さとしてテーブルに保存して用いる。
【００４５】
以上、本発明を添付の図面に基づいて説明したが、これは本発明の要旨を含む様々な実施例の一つに過ぎないものであり、当業界における通常の知識を有する者が容易に実施できるようにすることを目的とし、本発明は、上記した実施例に限定されるものではないことを明らかにする。したがって、本発明の保護範囲は下記の特許請求の範囲によって解釈されるべきであり、本発明の要旨を逸脱しない範囲内での変更、置換、代替等により、その同等の範囲内にあるすべての技術思想は、本発明の権利範囲に含まれるものである。また、図面の一部構成は、本発明を明確に説明するためのもので、実際よりも誇張又は縮小して提供されたものであることを明らかにする。
【産業上の利用可能性】
【００４６】
本発明は、ヘッドセットを用いて、音声、脈波、皮膚電流及び皮膚温度を測定し、ストレス緩和及び集中力向上を可能にするホワイトノイズを出力することができる「ストレス緩和及び集中力向上のためのホワイトノイズ発生ヘッドセット分野」に幅広く用いることができる。
【符号の説明】
【００４７】
１０  ヘッドセット
１１  マイク
１２  音響出力部
１３  センシング部
２０  ホワイトノイズ発生装置
２１  ＯＮ／ＯＦＦ部
２２  音声ストレス算出部
２３  ホワイトノイズ発生部
２４  メモリ部
２５  自動／手動調整部
２６  センシング値算出部
２７  制御部
３０  通信ライン
【図１】
0006442606.tif 000002
【図２】
0006442606.tif 000003
【図３】
0006442606.tif 000004
【図４】
0006442606.tif 000005